(57)【要約】【課題】本発明の実施形態は、高速光伝送、並びに、簡易および／または低コストな構成で１６直交振幅変調された信号を生成する方法および装置に関する。【解決手段】本発明の一実施形態は、データ信号１０３・１０４およびクロック信号によって駆動される並列な同相／直交変調器１０２を使用すること、および、強度変調器１０５によってパルスを湾曲することに関する。１６直交振幅によって変調された光信号は、デジタル信号処理に基づく伝送後、コヒーレント検波器１０６によって検波される。【選択図】図１
2013543668.tif 000002
【特許請求の範囲】
【請求項１】
第１信号分岐および当該第１信号分岐とπ／２位相がずれている第２信号分岐を有し、２つのデータ信号により駆動されるように構成される並列同相／直交変調器と、
クロック信号によって駆動され、信号中継点において信号を湾曲するように構成される強度変調器と、
を有する光変調装置。
【請求項２】
前記並列同相／直交変調器は、並列マッハツェンダー変調器を有する請求項１に記載の光変調装置。
【請求項３】
前記並列マッハツェンダー変調器は、ヌル点においてバイアスされており、２つのゼロチャープ０／π位相変調器として機能する請求項２に記載の光変調装置。
【請求項４】
前記並列マッハツェンダー変調器は、フル２Ｖπスイングの同一駆動電圧を有する請求項２に記載の光変調装置。
【請求項５】
前記２つのデータ信号はそれぞれ対応するビットレートを有し、前記クロック信号はｘギガヘルツであり、
前記２つのデータ信号の２つの対応するビットレートの少なくとも一つはｘギガビット／ｓであり、ここで前記ｘは正の実数である、請求項１に記載の光変調装置。
【請求項６】
コヒーレント検波器をさらに有する請求項１に記載の光変調装置。
【請求項７】
前記コヒーレント検波器は、一つ以上の偏向板、ダイバーシティハイブリッド変調器、局所発振器、フォトダイオード、高速アナログ‐デジタル変換器および高速デジタル‐アナログ変換器をさらに有する請求項６に記載の光変調装置。
【請求項８】
第１信号分岐および当該第１信号分岐とπ／２位相がずれている第２信号分岐を有し、２つのデータ信号により駆動されるように構成される並列同相／直交変調器と、
クロック信号によって駆動される強度変調器と、
コヒーレント検波器と、
を有する光変調システム。
【請求項９】
前記コヒーレント検波器は、一つ以上の偏向板、ダイバーシティハイブリッド変調器、局所発振器、フォトダイオード、高速アナログ‐デジタル変換器および高速デジタル‐アナログ変換器をさらに有する請求項８に記載の光変調システム。
【請求項１０】
前記並列同相／直交変調器は、並列マッハツェンダー変調器をさらに有する請求項８に記載の光変調システム。
【請求項１１】
前記並列マッハツェンダー変調器は、ヌル点においてバイアスされており、２つのゼロチャープ０／π位相変調器として機能する請求項１０に記載の光変調システム。
【請求項１２】
前記並列マッハツェンダー変調器は、フル２Ｖπスイングの同一駆動電圧を有する請求項１０に記載の光変調システム。
【請求項１３】
前記２つのデータ信号はそれぞれ対応するビットレートを有し、前記クロック信号はｘギガヘルツであり、
前記２つのデータ信号の２つの対応するビットレートの少なくとも一つは、ｘギガビット／ｓであり、ここで前記ｘは正の実数である、請求項８に記載の光変調システム。
【請求項１４】
多重レベル振幅および位相変調光信号を生成するための方法であって、
第１信号および当該第１信号とπ／２位相がずれている第２信号を生成し；
前記第１信号および第２信号を組み合わせて、結合信号を生成し；
信号中継点において強度変調器によって前記結合信号を湾曲し、湾曲された結合信号を生成し；
前記湾曲された結合信号を伝送する；
段階を含む方法。
【請求項１５】
前記湾曲された結合信号は、ゼロ復帰パルスを含む請求項１４に記載の方法。
【請求項１６】
コヒーレント検波器によって、前記湾曲された結合信号を検波する段階をさらに含む請求項１４に記載の方法。
【請求項１７】
前記検波段階は、前記湾曲された結合信号をデジタル処理する段階を含む請求項１６に記載の方法。
【請求項１８】
多重レベル振幅および位相変調光信号を検波するための方法であって、
コヒーレント検波器によって、第１信号および当該第１信号とπ／２位相がずれている第２信号を含む、湾曲された結合光信号を受信する段階を含む方法。
【請求項１９】
前記湾曲された結合光信号をデジタル処理する段階をさらに含む請求項１８に記載の方法。
【請求項２０】
エンコーダ装置によって１６ＱＡＭ信号のためのデータを符号化する方法であって、
立ち上がりエッジを０１として符号化し、
立ち下がりエッジを１０として符号化し、
ハイレベルを１１として符号化し、
ローレベルを００として符号化する、
段階を含む方法。
【発明の詳細な説明】
【技術分野】
【０００１】
本発明は、全般的に高速光伝送に関し、特に、簡易および／または低コスト構造で１６直交振幅変調（１６  ｑｕａｄｒａｔｕｒｅ  ａｍｐｌｉｔｕｄｅ  ｍｏｄｕｌａｔｅｄ）信号を生成する方法および装置に関する。より詳細には、本発明の実施形態は、データ信号およびクロック信号によって駆動される並列な同相／直交変調器を使用すること、および、強度変調器によってパルスを湾曲することに関する。１６直交振幅によって変調された光信号は、デジタル信号処理に基づく伝送後、コヒーレント検波器によって検波される。
【背景技術】
【０００２】
光直交振幅変調（ＱＡＭ）およびその他の多層式変調方式は、良好な波長利用効率（ＳＥ）を有する光ファイバー転送に有望である。１６-ＱＡＭは特に、光キャリア毎のスループットは高度に向上させうるので、高ビットレートの転送システムには良い解決策である。
【０００３】
偏波分割多重化（ＰＤＭ）およびデジタルコヒーレント検波と組み合わされた多層式光変調方式は、高ＳＥ（波長利用効率）光通信として高い関心が寄せられてきた。ＰＤＭおよび多重レベル変調は、たとえば、劇的に波長分割多重（ＷＤＭ）光通信システムのＳＥを向上する。
【０００４】
ＰＤＭ‐ＲＺ直交位相変調（ＲＺ‐ＱＰＳＫ）およびＰＤＭ‐ＲＺ‐８‐ＰＳＫは、実験的に１００Ｇｂ／ｓ伝送に実施されている：（Ｐ．ウィンザーおよびＡ．グナウク、「２５-ＧＨｚ  ＷＤＭグリッド上における１  １２-Ｇｂ／ｓ  偏波多重１６ＱＡＭ」、ＥＣＯＣ議事録２００８  Ｔｈ．３．Ｅ．５号（Ｐ．Ｗｉｎｚｅｒ  ａｎｄ  Ａ．Ｇｎａｕｃｋ，  “１  １２-Ｇｂ／ｓ  Ｐｏｌａｒｉｚａｔｉｏｎ-Ｍｕｌｔｉｐｌｅｘｅｄ  １６-ＱＡＭ  ｏｎ  ａ  ２５-ＧＨｚ  ＷＤＭ  Ｇｒｉｄ”，ｉｎ  Ｐｒｏｃ．ＥＣＯＣ  ２００８，ｐａｐｅｒ  Ｔｈ．３．Ｅ．５））、（Ｔ．サカモト、Ａ．チバ、Ｔ．カワニシ、「４並列ＭＺＭにより生成された５０Ｇｂ／ｓ  １６ＱＡＭの５０-ｋｍＳＭＦ伝送」、Ｔｕ．ｌ．Ｅ．３号（Ｔ．Ｓａｋａｍｏｔｏ，  Ａ．Ｃｈｉｂａ，  Ｔ．Ｋａｗａｎｉｓｈｉ，  “５０-ｋｍ  ＳＭＦ  ｔｒａｎｍｉｓｓｉｏｎ  ｏｆ  ５０-Ｇｂ／ｓ  １６ＱＡＭ  ｇｅｎｅｒａｔｅｄ  ｂｙ  ｑｕａｄ-ｐａｒａｌｌｅｌ  ＭＺＭ”、Ｔｕ．ｌ．Ｅ．３））、（Ｒ．フロイント、Ｈ．ロシェット、Ｍ．グルーナー、Ｌ．モール、Ｍ．ザイメッツ、Ａ．リヒター、「電気的歪み等化を伴う７２０ｋｍＳＳＭＦにわたる８０Ｇｂ／ｓ／λ  偏波多重スター１６ＱＡＭ  ＷＤＭ伝送」、ＯＦＣ２００９（Ｒ．Ｆｒｅｕｎｄ，  Ｈ．Ｌｏｕｃｈｅｔ，  Ｍ．Ｇｒｕｎｅｒ，  Ｌ．Ｍｏｌｌｅ，  Ｍ．Ｓｅｉｍｅｔｚ，  Ａ．Ｒｉｃｈｔｅｒ，“８０  Ｇｂｉｔ／ｓ／λ  Ｐｏｌａｒｉｚａｔｉｏｎ  Ｍｕｌｔｉｐｌｅｘｅｄ  Ｓｔａｒ-１６ＱＡＭ  ＷＤＭ  Ｔｒａｎｓｍｉｓｓｉｏｎ  ｏｖｅｒ  ７２０ｋｍ  ＳＳＭＦ  ｗｉｔｈ  Ｅｌｅｃｔｒｏｎｉｃ  Ｄｉｓｔｏｒｔｉｏｎ  Ｅｑｕａｌｉｚａｔｉｏｎ”，  ＯＦＣ２００９）），（Ｘ．ジョウ、Ｊ．ユー、「新同期法を用いた２００Ｇｂ／ｓ  ＰＤＭ  １６ＱＡＭ生成」、ＥＣＯＣ議事録２００９，１０．３．５号（Ｘ．Ｚｈｏｕ，  Ｊ．Ｙｕ，  “２００-Ｇｂ／ｓ  ＰＤＭ-１６ＱＡＭ  ｇａｎｅｒａｔｉｏｎ  ｕｓｉｎｇ  ａ  ｎｅｗ  ｓｙｎｔｈｅｓｉｚｉｎｇ  ｍｅｔｈｏｄ”，  Ｐｒｏｃ．ＥＣＯＣ２００９，１０．３．５））、（Ａ．サノル、「ＰＤＭ-１６-ＱＡＭ変調およびデジタルコヒーレント検波を用いた２４０ｋｍにわたる６９．１-Ｔｂ／ｓ（４３２×１７１-Ｇｂ／ｓ）Ｃ-および拡張Ｌバンド伝送」、ＯＦＣ２０１０、ＰＤＰＢ７（Ａ．Ｓａｎｏｌ，  “６９．１-Ｔｂ／ｓ（４３２×１７１-Ｇｂ／ｓ）Ｃ-ａｎｄ  Ｅｘｔｅｎｄｅｄ  Ｌ-Ｂａｎｄ  Ｔｒａｎｓｍｉｓｓｉｏｎ  ｏｖｅｒ  ２４０ｋｍ  Ｕｓｉｎｇ  ＰＤＭ-１６-ＱＡＭ  Ｍｏｄｕｌａｔｉｏｎ  ａｎｄ  Ｄｉｇｉｔａｌ  Ｃｏｈｅｒｅｎｔ  Ｄｅｔｅｃｔｉｏｎ”，  ＯＦＣ２０１０，  ＰＤＰＢ７））。Ｍ-ａｒｙ直交振幅変調（Ｍ-ＱＡＭ）もまた、異なる技術を用いて研究されてきた。たとえば、光アド・ドロップのための十分なバンド幅の余裕を同時に可能にする一方で高いＳＥを達成するために、１４Ｇｂ／ｓ  ＰＤＭ-１２８-ＱＡＭ、３０Ｇｂ／ｓ  ６４-ＱＡＭおよび４０-Ｇｂ／ｓ  １６ＱＡＭが、適切な波形生成器（Ｔ．サカモト、Ａ．チバ、Ｔ．カワニシ、「４並列ＭＺＭにより生成された５０Ｇｂ／ｓ  １６ＱＡＭの５０-ｋｍＳＭＦ伝送」、Ｔｕ．ｌ．Ｅ．３号を参照）と、並列な同相／直交（Ｉ／Ｑ）変調器��Ａ．サノル、「ＰＤＭ-１６-ＱＡＭ変調およびデジタルコヒーレント検波を用いた２４０ｋｍにわたる６９．１-Ｔｂ／ｓ（４３２×１７１-Ｇｂ／ｓ）Ｃ-および拡張Ｌバンド伝送」、ＯＦＣ２０１０、ＰＤＰＢ７を参照）とを用いて生成されてきた。
【０００５】
（Ａ．サノル、「ＰＤＭ-１６-ＱＡＭ変調およびデジタルコヒーレント検波を用いた２４０ｋｍにわたる６９．１-Ｔｂ／ｓ（４３２×１７１-Ｇｂ／ｓ）Ｃ-および拡張Ｌバンド伝送」、ＯＦＣ２０１０、ＰＤＰＢ７）では、２値駆動信号を用いる２つの並列組み込みＩ／Ｑ変調器を具備することで、１６０Ｇｂ／ｓ  １６-ＱＡＭが生成された。正方１６ＱＡＭ方式の生成および伝送は、多重レベル駆動信号および単段ＩＱ変調器を用いること（Ｐ．ウィンザーおよびＡ．グナウク、「２５-ＧＨｚ  ＷＤＭグリッド上における１  １２-Ｇｂ／ｓ  偏波多重１６ＱＡＭ」、ＥＣＯＣ議事録２００８  Ｔｈ．３．Ｅ．５号を参照）、または、組み込み４並列マッハツェンダー変調器（ＭＺＭ）（Ｔ．サカモト、Ａ．チバ、Ｔ．カワニシ、「４並列ＭＺＭにより生成された５０Ｇｂ／ｓ  １６ＱＡＭの５０-ｋｍＳＭＦ伝送」、Ｔｕ．ｌ．Ｅ．３号を参照）を使用することによって実施された（Ａ．サノル、「ＰＤＭ-１６-ＱＡＭ変調およびデジタルコヒーレント検波を用いた２４０ｋｍにわたる６９．１-Ｔｂ／ｓ（４３２×１７１-Ｇｂ／ｓ）Ｃ-および拡張Ｌバンド伝送」、ＯＦＣ２０１０、ＰＤＰＢ７）。
【０００６】
この段階では、これらの解決の主たる課題は、ＩＱ変調器（Ｔ．サカモト、Ａ．チバ、Ｔ．カワニシ、「４並列ＭＺＭにより生成された５０Ｇｂ／ｓ  １６ＱＡＭの５０-ｋｍＳＭＦ伝送」、Ｔｕ．ｌ．Ｅ．３を参照）および組込み４並列ＭＺＭの性能のための高質駆動信号の生成である。
【０００７】
（Ｘ．ジョウ、Ｊ．ユー、「新同期法を用いた２００Ｇｂ／ｓ  ＰＤＭ１６ＱＡＭ生成」、ＥＣＯＣ議事録２００９，１０．３．５）では、直列Ｉ／Ｑ変調器および２相変調器が、１６ＱＡＭ光信号を生成するために使用される。（Ｒ．フロイント、Ｈ．ロシェット、Ｍ．グルーナー、Ｌ．モール、Ｍ．ザイメッツ、Ａ．リヒター、「電気的歪み等化を伴う７２０ｋｍＳＳＭＦにおける８０Ｇｂ／ｓ／λ  偏波多重スター１６ＱＡＭ  ＷＤＭ伝送」、ＯＦＣ２００９）は、最新の変調器のみに基づく２値駆動信号を用いてどのようにスター１６ＱＡＭ信号を生成するかを示した。
【発明の概要】
【発明が解決しようとする課題】
【０００８】
スター１６ＱＡＭ信号を生成するために、最新の変調器に基づく２値駆動信号が使用された。しかしながら、本発明の一実施形態では、実験的に実証された、１６ＱＡＭ信号を生成するための新しい方法が提案される。
【課題を解決するための手段】
【０００９】
本発明の一実施形態では、第１信号分岐および当該第１信号分岐と位相がずれている第２信号分岐を有し、データ信号により駆動されるように構成される並列同相／直交変調器と；クロック信号によって駆動され、信号中継点において信号を湾曲するように構成される強度変調器と；が備えられる。前記光変調装置は、ヌル点においてバイアスされており、２つのゼロチャープ０／π位相変調器として機能する並列マッハツェンダー変調器を有する。前記並列マッハツェンダー変調器は、フル２Ｖπスイングの同一駆動電圧を有する。
【００１０】
前記光変調装置のデータ信号は、それぞれ対応するビットレートを有する。本発明の一実施形態では、前記クロック信号はｘギガヘルツであり、前記２つのデータ信号の２つの対応するビットレートの少なくとも一つはｘギガビット／ｓであり、ここで前記ｘは正の実数である。
【００１１】
前記光変調装置は、コヒーレント検波器をさらに有する。前記コヒーレント検波器は、一つ以上の偏向板、ダイバーシティハイブリッド変調器、局所発振器、フォトダイオード、高速アナログ‐デジタル変換器および高速デジタル‐アナログ変換器を有する。
【００１２】
本発明の一実施形態では、第１信号分岐および当該第１信号分岐とπ／２位相がずれている第２信号分岐を有し、２つのデータ信号により駆動されるように構成される並列同相／直交変調器と、クロック信号によって駆動される強度変調器と、コヒーレント検波器と、を含む光変調システムが提供される。
【００１３】
本発明の一実施形態の変調システムのコヒーレント検波器は、偏向板、ダイバーシティハイブリッド変調器、局所発振器、フォトダイオード、高速アナログ‐デジタル変換器および／または高速デジタル‐アナログ変換器を含む。
【００１４】
本発明の一実施形態では、前記並列同相／直交変調器は、並列マッハツェンダー変調器を有する。前記並列マッハツェンダー変調器は、たとえばヌル点においてバイアスされており、２つのゼロチャープ０／π位相変調器として機能する。さらに、前記並列マッハツェンダー変調器は、たとえばフル２Ｖπスイングの同等駆動電圧を有する。
【００１５】
前記２つのデータ信号は、それぞれ対応するビットレートを有する。
【００１６】
前記クロック信号がｘギガヘルツである本発明の一実施形態では、前記２つのデータ信号の２つの対応するビットレートの少なくとも一つはｘギガビット／ｓであり、ここで、前記ｘは正の実数である。
【００１７】
本発明の一実施形態は、多重レベル振幅および位相変調光信号を生成するための方法を含む。そのような方法は、たとえば、第１信号および当該第１信号とπ／２位相がずれている第２信号を生成し；前記第１信号および第２信号を組み合わせて、結合信号を生成し；信号中継点において強度変調器によって前記結合信号を湾曲し、湾曲された結合信号を生成し；前記湾曲された結合信号を伝送することを含む。本発明の一実施形態では、前記湾曲された結合信号は、ゼロ復帰パルスを含む。
【００１８】
本発明の一実施形態は、コヒーレント検波器によって、前記湾曲された結合信号を検波する段階をさらに含む。前記検波段階は、たとえば、前記湾曲された結合信号をデジタル処理する段階を含む。
【００１９】
本発明の一実施形態はまた、多重レベル振幅および位相変調光信号を検波するための方法を含み、コヒーレント検波器によって、第１信号および当該第１信号とπ／２位相がずれている第２信号を含む、湾曲された結合光信号を受信する段階を含む。前記湾曲された結合光信号をデジタル処理する段階をさらなる段階も含まれる。
【００２０】
本発明の一実施形態は、エンコーダ装置によって１６ＱＡＭ信号のためのデータを符号化する方法を含み、立ち上がりエッジを０１として符号化し；立ち下がりエッジを１０として符号化し；ハイレベルを１１として符号化し；ローレベルを００として符号化する段階を含む。
【図面の簡単な説明】
【００２１】
一般的な用語により本発明を記述してきたが、本発明のより完全な理解は、必ずしも正確な縮尺で描かれていない添付の図面を参照して得られるであろう。
【図１】図１は、本発明の一実施形態を示す。
【図２】図２は、本発明の一実施形態に従った同相／直交変調および強度変調後の光信号の計測波形を示す。
【図３】図３は、本発明の一実施形態に従った同相／直交変調および強度変調後の光学スペクトルを示す。
【図４】図４は、本発明の一実施形態に従ったコヒーレント受信機によって検波されたコンスタレーションを示す。
【図５】図５は、本発明の一実施形態に従った符号化体系を示す。
【図６】図６は、本発明の一実施形態を表現する図を示す。
【発明を実施するための形態】
【００２２】
本発明の実施形態が、本発明の実施形態のいくつかの例が示された、添付の図面を参照して以下により完全に記載される。実に、これらの発明は、多くの異なる形態に具現されることができ、ここに説明された実施形態に限定されるものと解されるべきではない。むしろ、これらの実施形態は、適切な法的必要性を満たすための例として提供されるものである。全体にわたって、同一参照番号は、同一要素を示す。
【００２３】
本発明の一実施形態の提案される１６ＱＡＭ信号生成の動作原理は、たとえば図１に示される。１６ＱＡＭ変調器は、２つのデータ信号１０３および１０４により駆動される並列Ｉ／Ｑ変調器１０２を含む。Ｉ／Ｑ変調器１０２の上下の分岐間の位相差は、たとえば並列Ｉ／Ｑ変調器１０２ではπ／２に設定される。
【００２４】
また、２つの並列マッハツェンダー変調器（ＭＺＭ１およびＭＺＭ２）が示されている。２つの並列マッハツェンダー変調器は、たとえばヌル点においてバイアスされており、２つのゼロチャープ０／π位相変調器として機能する。さらに、ＭＺＭ１およびＭＺＭ２は、たとえば、フル２Ｖπスイングの同一駆動電圧を有する。
【００２５】
図１（ａ）は、Ｉ／Ｑ変調器１０２後の波形を示す。データ信号１０３またはデータ信号１０４のビットレートがたとえばｘＧビット／ｓである場合、強度変調器（ＩＭ）１０５は、ｘＧＨｚクロック信号によって駆動される。このＩＭ変調器１０５は、パルス（信号中継部分）を湾曲するために用いられる。クロック信号はまた、図１（ｂ）に示されるように、ＩＭ変調器１０５後の光波形信号を切断する。しかしながら、ＩＭ変調器１０５およびＩ／Ｑ変調器１０２の位置は、交互に変更可能である。選択的に、たとえば、ＩＭ変調器１０５は信号連鎖内において、Ｉ／Ｑ変調器１０２前に配置される。
【００２６】
１６ＱＡＭ光信号は、それから所定距離の伝送後、たとえばデジタル信号処理（ＤＳＰ）に基づいて、コヒーレント検波器１０６によって検波される。
【００２７】
図２は、Ｉ／Ｑ変調器１０２およびＩＭ変調器１０５後の光信号の計測波形を示す。１６ＱＡＭの通信速度は、たとえばここに記載された実験では、１２．５Ｇボーである。
【００２８】
図３は、Ｉ／Ｑ変調器１０２およびＩＭ変調器１０５後の光学スペクトルを示す。ここに記載の場合では、信号はゼロ復帰（ＲＺ）パルスを有するので、ＩＭ変調器１０２後スペクトルは、たとえば拡散されている。
【００２９】
図４は、本発明の一実施形態に従ったコヒーレント受信機１０６によって検波されたコンスタレーションを示す。図示した実施形態では、たとえば、１６ＱＡＭ光信号が生成される。既に知られているように、そのようなコンスタレーションは、複素平面におけるデジタル変調方式の表現である。
【００３０】
この方式および／または本発明の他の実施形態による１６ＱＡＭにおいて、データ信号１０３またはデータ信号１０４は、特有に符号化される。たとえば、図５は、本発明の一実施形態に従ってデータを符号化する方式を示す。図５の上側のデータ表示は、通常の２位相変位変調（ＢＰＳＫ）データコーディング１および０の代表である。図５の下側の表示は、本発明の実施形態に従った、符号化後の新しいデータの例である。たとえば、一実施形態では、立ち上がりエッジは“０１”であり、立ち下がりエッジは“１０”であると想定される。そのような実施形態では、たとえば、信号がハイレベルであり１ビットスロット内に維持される場合、それは“１１”と符号化され、ローレベルおよび１ビットスロット内に維持される場合は、“００”と符号化される。
【００３１】
図６は、本発明の一実施形態に従った１６ＱＡＭ光信号生成を記載するチャートを概略的に提供する。
【００３２】
図示されるように、本発明の一実施形態に従った高速光通信のための１６ＱＡＭ信号の生成は、簡潔な構成によって有利に達成される。加えて、本発明の一実施形態はまた、低コストな構成によって有利に達成される。
【００３３】
前述の記載は、本発明の実施形態を図示し、記載する。本発明は、様々な他の組合せ、変形および環境において使用でき、ここに表現された発明の概念の範囲内で変更または変形でき、関連する技術における上記内容および／またはスキルまたは知識に相応する。
【００３４】
上記実施形態は、本発明を実施するに当たり既知の最良の形態を説明することと、当業者がそのようなまたは他の実施形態の本発明を特定の応用または本発明の使用により必要とされる様々な変形を伴って使用可能にすることとをさらに意図している。さらに、本発明の方法およびシステムは、単純または複雑なコンピュータを含む機器および装置を具備することによってのみもっぱら実行されると解されるべきである。
【００３５】
ここに含まれた本発明の記載に基づいて、当業者に明らかな既知のシステムおよび方法の応用は、特許請求の範囲の範囲内である。さらに、特許請求の範囲に記載された方法および／または要素の組合せを実行する後に発明されたり開発された装置は、本発明の範囲内である。したがって、上記記載は、個々に開示された形式または応用に本発明を限定することを意図するものではない。ここに引用された全ての刊行物は、本出願において参照により全体的に組み込まれる。
【図１】
2013543668.tif 000003
【図２】
2013543668.tif 000004
【図３】
2013543668.tif 000005
【図４】
2013543668.tif 000006
【図５】
2013543668.tif 000007
【図６】
2013543668.tif 000008
【国際調査報告】
2013543668.tif 000009
2013543668.tif 000010
2013543668.tif 000011